(57)【要約】  【課題】  消費者に対し購買意欲の増進を図ることができるボトルキャップおよびボトルを提供すること。  【解決手段】  ボトル本体部２に装着されるボトルキャップ本体部３に対してボトルキャップカバー部４として設けられる玩具を着脱自在にした。また、ボトルキャップ本体部を、ボトルキャップ本体部から鉛直方向上方に延在する流動経路部と、流動経路部の開口位置に設けられ引き上げることで飲料を流動させ、押し下げることで飲料の流動を閉止するキャップヘッド部と、流動経路部の周縁に突設され、外周にボトルキャップ本体部の螺合方向とは逆回転によって螺合するよう構成された雄螺子部から構成しても良い。【選択図】  図１
2005138901.tif 000002
【特許請求の範囲】
【請求項１】
ボトル本体部に所定方向の回転によって螺合されるボトルキャップ本体部と、
前記ボトルキャップ本体部を覆うボトルキャップカバー部とを有するボトルキャップにおいて、
前記ボトルキャップカバー部を玩具形状から構成するとともに、前記ボトルキャップカバー部の内部に前記ボトルキャップ本体部の一部または全てを収容する収容部を設け、
前記収容部および前記ボトルキャップ本体部に、前記収容部を前記ボトルキャップ本体部に着脱する着脱手段を設けたことを特徴とするボトルキャップ。
【請求項２】
前記ボトルキャップ本体部は、前記ボトルキャップ本体部から鉛直方向上方に延在して前記ボトル本体部内の飲料物の流動経路を構成するとともに上端が開口された流動経路部と、
前記流動経路部の開口位置に摺動可能に設けられ上方に引き上げることで飲料物を流動させ、下方に押し下げることで飲料物の流動を閉止するキャップヘッド部とを備え、
前記収容部は、前記流動経路部および前記キャップヘッド部を収容することを特徴とする請求項１に記載のボトルキャップ。
【請求項３】
前記着脱手段は、前記収容部に設けられた螺子部と、前記流動経路部または前記ボトルキャップ本体部に設けられ、前記所定方向とは逆方向の回転によって前記螺子部に螺合される螺子部とから構成されることを特徴とする請求項１または請求項２に記載のボトルキャップ。
【請求項４】
前記雄螺子部および前記雌螺子部を螺合させたとき、前記収容部の上部が前記キャップヘッド部の上部を押下して、飲料物の流動を閉止させることを特徴とする請求項２または請求項３に記載のボトルキャップ。
【請求項５】
前記ボトル本体部と、前記ボトルキャップ本体部との螺合箇所を被覆するよう設けられたオーバーキャップ部を備えることを特徴とする請求項２〜請求項４の何れかに記載のボトルキャップ。
【請求項６】
請求項１〜請求項５の何れかに記載のボトルキャップと、前記ボトルキャップ部が螺合され、飲料物を収納可能なボトル本体部とからなることを特徴とするボトル。
【発明の詳細な説明】
【技術分野】
【０００１】
本発明は、清涼飲料用ボトルキャップおよびボトルに関し、特に、ボトルキャップを玩具形状としたものに関するものである。
【背景技術】
【０００２】
従来、飲料用ボトルキャップを玩具形状としたものとしては、ボトル本体に螺着されるボトルキャップの上部に玩具を取り付けるものが知られている（例えば、特許文献１および２参照）。
【０００３】
また、飲料物の注出口を上方に引き上げることで開栓し、下方に押し下げることで閉栓するキャップヘッドと、該キャップヘッドに外嵌可能でキャップ本体に取付可能な蓋とからなり、キャップ本体に設けられた溝と蓋とを嵌合することによりキャップヘッドへの防塵を可能とするものが知られている（例えば、特許文献３参照）。
【特許文献１】特開２００３−４０３１５号公報
【特許文献２】特開２００３−１６９９７１号公報
【特許文献３】特開平１１−１７１２３２号公報
【発明の開示】
【発明が解決しようとする課題】
【０００４】
しかしながら、このような従来のボトルキャップの上部に玩具を取り付けるものにあっては、本来消費者に対し、玩具を取り付けることで購買意欲の増進を図るものであるにもかかわらず、ボトルキャップの上部に玩具が固定されているため、玩具が依然としてボトルキャップの範疇を脱することなく消費者の購買意欲を減退させることになっていた。
【０００５】
また、このようなボトルキャップの上部に玩具を取り付けるものにあっては、老人や子供にとって、ただでさえボトルキャップの開栓は大きな外力を必要とし、困難なものであるにも関わらず、ボトルキャップの上部に設けられた玩具が邪魔となり、ボトルキャップの開栓をさらに困難なものとしていたので、工夫が必要である。
【０００６】
また、飲料物の注出口を上方に引き上げることで開栓し、下方に押し下げることで閉栓するキャップヘッドと、該キャップヘッドに外嵌可能でキャップ本体に取り付可能な蓋とからなり、キャップ本体に設けられた溝と蓋とを嵌合することによりキャップヘッドへの防塵を可能とするものにあっても、ボトルキャップ付きの飲料容器が飲みきりでなく持ち運べるという利便性のもとできたものである以上、当然鞄等に入れて持ち運ぶこととなるが、キャップ本体の溝を蓋とを嵌合するのみでは、鞄等の中で蓋が取れて中身が漏れ出してしまうというおそれがあり、対策が必要である。
【０００７】
本発明は、これらの問題を解決するためになされたもので、消費者に対し購買意欲の増進を図ることができるボトルキャップおよびボトルを提供するものである。
【課題を解決するための手段】
【０００８】
本発明のボトルキャップは、ボトル本体部に所定方向の回転によって螺合されるボトルキャップ本体部と、前記ボトルキャップ本体部を覆うボトルキャップカバー部とを有するボトルキャップにおいて、前記ボトルキャップカバー部を玩具形状から構成するとともに、前記ボトルキャップカバー部の内部に前記ボトルキャップ本体部の一部または全てを収容する収容部を設け、前記収容部および前記ボトルキャップ本体部に、前記収容部を前記ボトルキャップ本体部に着脱する着脱手段を設けたものから構成される。
【０００９】
この構成により、ボトルキャップ本体部に対してボトルキャップカバー部として設けられる玩具を着脱自在にしたので、玩具自体をボトルキャップ本体部とは独立させて収集することができ、ボトルキャップ上に固定された玩具と比して、収集意欲の増進を促して、購買意欲の増進をもたらすことができる。
【００１０】
また、本発明のボトルキャップは、前記ボトルキャップ本体部は、前記ボトルキャップ本体部から鉛直方向上方に延在して前記ボトル本体部内の飲料物の流動経路を構成するとともに上端が開口された流動経路部と、前記流動経路部の開口位置に摺動可能に設けられ上方に引き上げることで飲料物を流動させ、下方に押し下げることで飲料物の流動を閉止するキャップヘッド部とを備え、前記収容部は、前記流動経路部および前記キャップヘッド部を収容するものから構成される。
【００１１】
この構成により、ボトルキャップ本体部から鉛直方向上方に延在してボトル本体部内の飲料物の流動経路を構成する流動経路部を備えるので、流動経路部をストローとして使用することができ、飲料物を容易に吸引することができる。
【００１２】
また、キャップヘッド部を下方に押し下げることで飲料物の流動を閉止するキャップヘッド部とを備えたので、飲料物が漏れるのを防止することができる。
【００１３】
また、本発明のボトルキャップは、前記着脱手段は、前記収容部に設けられた螺子部と、前記流動経路部または前記ボトルキャップ本体部に設けられ、前記所定方向とは逆方向の回転によって前記螺子部に螺合される螺子部とから構成される。
【００１４】
この構成により、ボトルキャップカバー部の閉栓時に、収容部内の上面がキャップヘッドの上面を押下してキャップヘッドを閉止位置に摺動させることができ、飲用者がキャップヘッドを閉止位置に戻すのを忘れたときであっても、ボトルキャップカバー部をボトルキャップ本体部に螺合することで、キャップヘッド部を閉止位置に摺動させ、飲用物の漏れを未然に防止することができる。
【００１５】
また、本発明のボトルキャップは、前記雄螺子部および前記雌螺子部を螺合させたとき、前記収容部の上部が前記キャップヘッド部の上部を押下して、飲料物の流動を閉止させるものから構成される。
【００１６】
この構成により、ボトルキャップ本体部とボトルキャップカバー部を螺合させることにより、防塵効果を向上させることができるとともに、溝を用いて嵌合させるものよりも、より強い保持力を有するから、持ち運びの際等に、ボトルキャップカバー部が取れてしまい飲料物が漏れることを防止することができる。
【００１７】
また、ボトル本体部およびボトルキャップ本体の螺合と、ボトルキャップ本体部およびボトルキャップカバー部との螺合の回転方向を逆方向とするとともに、ボトルキャップカバー部を形状の大きい玩具として構成したことで、老人や子供であっても、ボトルキャップカバー部を回転させるのみで、少ない外力によりボトルキャップ本体部およびボトルキャップカバー部の双方を開栓することができる。
【００１８】
また、本発明のボトルキャップは、前記ボトル本体部と、前記ボトルキャップ本体部との螺合箇所を被覆するよう設けられたオーバーキャップ部を備える。
【００１９】
この構成により、オーバーキャップ部によって搬送時における飲用物の漏れをさらに防止することができるとともに、商品の店舗先等への陳列時における、防塵および購買者からの接触による防菌を図ることができる。
【００２０】
また、本発明のボトルは、上述したボトルキャップと、前記ボトルキャップ部が螺合され、飲料物を収納可能なボトル本体部とからなるものから構成される。
【００２１】
この構成により、収集意欲の増進を促して、購買意欲の増進をもたらすことができる飲料用の商品を提供することができる。
【発明の効果】
【００２２】
本発明のボトルキャップおよびボトルによれば、消費者に対し購買意欲の増進を図ることができるボトルキャップおよびボトルを提供することができる。
【発明を実施するための最良の形態】
【００２３】
以下、本発明の実施の形態について、図面を用いて説明する。
【００２４】
図１〜図５は本発明に係るボトルキャップおよびボトルキャップを備えたボトルの第１の実施の形態を示す図である。
【００２５】
まず、構成を説明する。図１、図２において、ボトルキャップ１は、ボトルとしてのボトル本体部２と、このボトル本体部２の上部に形成された雌螺子部２ａに図中矢印Ａ方向への回転によって螺合する雌螺子部３ａが形成されたボトルキャップ本体部３と、ボトルキャップ本体部３を覆うボトルキャップカバー部４とから構成されており、ボトル本体部２には飲料物が収納可能になっている。
【００２６】
なお、ボトルキャップ１およびボトル本体部２によってボトルが形成されている。また、ボトルキャップ１およびボトル本体部２は金属であっても、プラスチック等の樹脂であっても良い。
【００２７】
ボトルキャップ本体部３は、外形がキャラクター人形等の玩具形状をしており、内部にボトルキャップ本体部３の一部を収容する収容部５が設けられている。ボトルキャップ本体部３の上面にはこの外周部に雄螺子部６ａが形成された突出部６が設けられているとともに収容部５の内周面には矢印Ａ方向と逆方向である矢印Ｂ方向への回転によって雄螺子部６ａに螺合するように構成された雌螺子部５ａが形成されている。
【００２８】
したがって、ボトルキャップカバー部４は突出部６を介してボトルキャップ本体部３に着脱自在になっており、雌螺子部５ａおよび雄螺子部６ａは着脱手段を構成している。
【００２９】
本実施の形態では、図３に示すように、飲用時にボトルキャップ本体部３を開栓する際には、飲用者は玩具形状であるボトルキャップカバー部４を持ち、閉栓方向（図１中、矢印Ａ方向）と反対方向である矢印Ｄ方向にボトルキャップカバー部４を回転させる。このとき、ボトルキャップカバー部４に図１中、矢印Ｂ方向の回転力が加わることとなっても、ボトルキャップカバー部４は、閉栓位置でロックされた状態にあるから、ボトルキャップカバー部４を開栓させることなく、ボトルキャップ本体部３のみを開栓することができる。
【００３０】
また、図４に示すように、玩具を収集するために、ボトルキャップカバー部４を取外すには、閉栓方向と同方向である矢印Ｃ方向にボトルキャップカバー部４を回転させる。このとき、ボトルキャップカバー部４の閉栓方向に回転力が加わるため、ボトルキャップ本体部３を開栓させることなく、玩具単体としてのボトルキャップカバー部４のみを開栓することができる。
【００３１】
このように本実施の形態では、ボトル本体部２に装着されるボトルキャップ本体部３に対してボトルキャップカバー部４として設けられる玩具を着脱自在にしたので、玩具自体をボトルキャップ本体部３とは独立させて収集することができ、ボトルキャップ１上に固定された玩具と比して、収集意欲の増進を促して、購買意欲の増進をもたらすことができる。
【００３２】
また、着脱手段を、収容部５の内周部に設けられた雌螺子部５ａと、ボトルキャップ本体部３に設けられ、ボトルキャップカバー部４の螺合方向（図１中、矢印方向）とは逆方向の回転（図１中、矢印Ｂ方向）によって雌螺子部５ａに螺合される雄螺子部６ａとから構成し、雄螺子部５ａと雌螺子部６ａを螺合および螺合を解除することにより、ボトルキャップカバー部４をボトルキャップ本体部３に対して着脱自在にしたので、老人や子供であっても、ボトルキャップカバー部４を回転させるのみで、少ない外力によりボトルキャップ本体部３およびボトルキャップカバー部４の双方を開栓することができる。
【００３３】
なお、本実施の形態では、螺合箇所における雄螺子部および雌螺子部の構成はそれぞれ逆の関係でも良く、また、ボトルキャップ本体部３およびボトルキャップカバー部４の螺合方向は、それぞれ逆方向であれば、本実施の形態における回転方向に限られるものではない。
【００３４】
また、着脱手段を雌螺子部５ａおよび雄螺子部６ａから構成しているが、これに限らず、ホットメルト等のような粘着性の接着剤をボトルキャップ本体部３およびボトルキャップカバー部４の間に介装するようにしても良い。
【００３５】
また、ボトルキャップカバー部４の取付け位置は、ボトルキャップ本体部３の上部に設けられた突出部６に限るものではない。例えば、図５（ａ）に示すように、ボトルキャップ本体部３の外周部に雄螺子部７を設け、ボトルキャップカバー部４の収容部５にボトルキャップ本体部３の全てを収容するように雌螺子部５ａを雄螺子部７に螺合させるようにしても良い。
【００３６】
また、その他に、ボトルキャップカバー部４の収容部５の内周部に、ボトルキャップ本体部３の外周面の上下方向に形成された溝部３ｂ（図１参照）に係合する多数の係合突出を設けても良い。
【００３７】
また、ボトルキャップカバー部４の強度が足りない場合には、図５（ｂ）に示すように収容部５内にプラスチック性の台座８を設けてこれを収容部とし、この台座８の内周部にボトルキャップ本体部３の雄螺子部７に螺合する雌螺子部を設けたり、ボトルキャップ本体部３に接着されるホットメルト等を設けても良い。また、ボトルキャップ本体部３に雄螺子部がない図１の構成の場合には、台座８の内周部に、ボトルキャップ本体部３の外周面の上下方向に形成された溝部３ｂに係合する多数の係合突出を設けても良い。
なお、台座８を接着剤等の係合手段によってボトルキャップカバー部４に強固に取り付けることにより、台座８がボトルキャップカバー部４に対して回転してしまうのを防止することが好ましい。
【００３８】
また、台座はボトルキャップ本体部３の外周面に取り付けずに、突出部６に取り付けるようにしても良いことは言うまでもない。
【００３９】
図６〜図９は本発明に係るボトルキャップおよびボトルキャップを備えたボトルの第２の実施の形態を示す図である。
【００４０】
図６において、本実施の形態のボトルキャップ５０は、ボトル本体部１１と図中矢印Ａ方向への回転によって螺合するボトルキャップ本体部１３と、ボトルキャップ本体部１３を覆うボトルキャップカバー部１７とから構成されている。
【００４１】
ボトルキャップ本体部１３は、ボトルキャップ本体部１３から鉛直方向上方に延在してボトル本体部１１内の飲料の流動経路を構成するとともに上端が開口された流動経路部１５と、流動経路部１５の開口位置に摺動可能に設けられ上方に引き上げることで飲料を流動させ、下方に押し下げることで飲料の流動を閉止するキャップヘッド部１６と、流動経路部１５の周縁に突設され、外周に図中矢印Ａ方向とは逆方向である図中矢印Ｂ方向への回転によって螺合するように構成された雄螺子部（着脱手段）１４とを有している。なお、ボトルキャップ本体部１３の周縁内周にはボトル本体部１１に形成された雄螺子１２と螺合する雌螺子２０が形成されている。
【００４２】
ボトルキャップカバー部１７は、外形が玩具形状で構成されるとともに、内部に流動経路部１５およびキャップヘッド部１６を収容する収容部１８と、収容部１８の下端近傍の内縁で雄螺子部１４と螺合する雌螺子部（着脱手段）１９とを有している。
【００４３】
次に、図７の断面図を用いて本実施の形態におけるボトルキャップ５０の螺合時における構成を説明する。
【００４４】
図７において、ボトルキャップ本体部１３の雌螺子２０およびボトルキャップカバー部１７の雌螺子部１９は、それぞれボトル本体部１１の雄螺子１２およびボトルキャップ本体部１３に形成された雄螺子部１４と互いに逆方向の回転によって螺合されている。
【００４５】
ここで、ボトルキャップカバー部１７の内部には、ボトルキャップ本体部１３に形成された流動経路部１５およびキャップヘッド部１６を包含するよう収容部１８が形成されているが、この流動経路部１５およびキャップヘッド部１６による高さと収容部１８の高さを同じ高さに形成している。
【００４６】
このように、流動経路部１５およびキャップヘッド部１６による高さと収容部１８の高さを同じ高さに形成することで、本来、飲用時以外はキャップヘッド部１６を下方に押し下げ、飲料の流動を閉止するのが望ましいが、それを飲用者が忘れてしまった場合、若しくはキャップヘッド部１６の押し下げが足りないような場合であっても、ボトルキャップカバー部１７の雌螺子部１９をボトルキャップ本体部１３の雄螺子部１４に螺合させるだけで、飲料の流動閉止位置までキャップヘッド部１６を押し下げることができ、飲料漏れをさらに防止することができる。
【００４７】
次に、図８および図９を用いて、ボトルキャップカバー部１７およびボトルキャップ本体部１３の開栓時につき説明することとする。
【００４８】
図８に示すように、飲用時、ボトルキャップカバー部１７を開栓する際には、飲用者はボトルキャップカバー部１７を持ち、図中矢印Ｃ方向にボトルキャップカバー部１７を回転させれば良い。なお、このとき、ボトルキャップ本体部１３は、雄螺子部１４と一体成形されているため、ボトルキャップカバー部１７と同様図中矢印Ｃ方向に回転力が加わることとなるが、螺子の螺合する方向を逆方向としていることで、ボトルキャップ本体部１３は、閉栓位置でロックされた状態にあり、ボトルキャップカバー部１７の開栓と同時に開栓されることなく、ボトルキャップカバー部１７のみを開栓することができる。
【００４９】
図９に示すように、ボトルキャップ本体部１３を開栓するような際には、飲用者はボトルキャップカバー部１７を持ち、図８に示したＣ方向とは逆方向であるＤ方向にボトルキャップカバー部１７を回転させれば良い。なお、このとき、ボトルキャップカバー部１７にＤ方向の回転力が加わることとなっても、ボトルキャップカバー部１７は、閉栓位置でロックされた状態にあるから、ボトルキャップカバー部１７を開栓させることなく、ボトルキャップ本体部１３のみを開栓することができる。
【００５０】
このように本実施の形態では、ボトルキャップ本体部１３上にボトルキャップカバー部１７として設けられる玩具が螺合されているとともに、ボトルキャップカバー部１７の螺合箇所である雌螺子部１９がボトルキャップカバー部１７の内縁に設けられていることにより、玩具自体をボトルキャップとは独立させて収集することができるから、ボトルキャップ上に固定された玩具と比して、収集意欲の増進を促し、もって購買意欲の増進をもたらすことができる。
【００５１】
また、ボトルキャップ本体部１３とボトルキャップカバー部１７を螺合させることにより、防塵効果をあげるとともに、溝を用いて嵌合させるものよりも、より強い保持力を有するから、持ち運びの際等に、キャップカバー部が取れてしまい飲料物が漏れることを防止することができる。
【００５２】
また、ボトル本体部１１およびボトルキャップ本体部１３の螺合と、ボトルキャップ本体部１３およびボトルキャップカバー部１７との螺合の回転方向を逆方向とするとともに、ボトルキャップカバー部１７を形状の大きい玩具として構成したことで、老人や子供であっても、ボトルキャップカバー部１７を回転させるのみで、少ない外力によりボトルキャップ本体部１３およびボトルキャップカバー部１７の双方を開栓することができる。
【００５３】
また、ボトルキャップカバー部１７内の収容部１８を、流動経路部１５および流動経路部１５の上端に設けられたキャップヘッド部１６による高さと同じにすることで、ボトルキャップカバー部１７閉栓時に、収容部１８内の上面がキャップヘッド部１６の上面を押下してキャップヘッド部１６を閉止位置に摺動させることができ、飲用者がキャップヘッド部１６を閉止位置に戻すのを忘れたときであっても、ボトルキャップカバー部１７をボトルキャップ本体部１３に螺合することで、キャップヘッド部１６を閉止位置に摺動させることができ、飲用物の漏れを未然に防止することができる。
【００５４】
なお、本実施の形態にあっても、螺合箇所における雄螺子および雌螺子の構成はそれぞれ逆の関係でも良く、また、ボトルキャップ本体部１３およびボトルキャップカバー部１７の螺合方向は、それぞれ逆方向であれば、本実施の形態における回転方向に限られるものではない。
【００５５】
図１０、図１１は本発明に係るボトルキャップおよびボトルキャップを備えたボトルの第３の実施の形態を示す図である。
【００５６】
図１０において、本実施の形態のボトルキャップ６０は、ボトル本体部２１と図中矢印Ａ方向への回転によって螺合するボトルキャップ本体部２３と、ボトルキャップ本体部２３を覆うボトルキャップカバー部２７とから構成されている。
【００５７】
ボトルキャップ本体部２３は、ボトルキャップ本体部２３から鉛直方向上方に延在してボトル本体部２１内の飲料の流動経路を構成するとともに上端が開口された流動経路部２５と、流動経路部２５の開口位置に摺動可能に設けられ上方に引き上げることで飲料を流動させ、下方に押し下げることで飲料の流動を閉止するキャップヘッド部２６と、流動経路部２５の下端近傍に図中矢印Ａ方向とは逆方向である図中矢印Ｂ方向への回転によって螺合するように構成された雄螺子部（着脱手段）２４とを有している。なお、ボトルキャップ本体部２３の周縁内周にはボトル本体部２１に形成された雄螺子２２と螺合する雌螺子３０が形成されている。
【００５８】
ボトルキャップカバー部２７は、外形が玩具形状から構成されるとともに、内部に流動経路部２５およびキャップヘッド部２６を収容する収容部２８と、収容部２８の下端近傍の内縁で雄螺子部２４と螺合する雌螺子部（着脱手段）２９とを有している。
【００５９】
次に、図１１の断面図を用いて本実施の形態におけるボトルキャップ６０の螺合時における構成を説明する。
【００６０】
図１１において、ボトルキャップ本体部２３の雌螺子３０およびボトルキャップカバー部２７の雌螺子部２９は、それぞれボトル本体部２１の雄螺子２２およびボトルキャップ本体部２３に形成された雄螺子部２４と互いに逆方向の回転によって螺合されている。
【００６１】
ここで、ボトルキャップカバー部２７の内部には、ボトルキャップ本体部２３に形成された流動経路部２５およびキャップヘッド部２６を包含するよう収容部２８が形成されているが、この流動経路部２５およびキャップヘッド部２６による高さと収容部２８の高さを同じ高さに形成している。
【００６２】
このように、流動経路部２５およびキャップヘッド部２６による高さと収容部２８の高さを同じ高さに形成することで、本来、飲用時以外はキャップヘッド部２６を下方に押し下げ、飲料の流動を閉止するのが望ましいが、それを飲用者が忘れてしまった場合、若しくはキャップヘッド部２６の押し下げが足りない場合であっても、ボトルキャップカバー部２７の雌螺子部２９をボトルキャップ本体部２３の雄螺子部２４に螺合させるだけで、飲料の流動閉止位置までキャップヘッド部２６を押し下げることができ、飲料漏れをさらに防止することができる。
【００６３】
なお、本実施の形態において、ボトルキャップカバー部２７およびボトルキャップ本体部２３の開栓時に関する説明については、第２の実施の形態と同様であるため、説明を省略することとする。
【００６４】
以上、本実施の形態によれば、ボトルキャップ本体部２３上にボトルキャップカバー部２７として設けられる玩具が螺合されているとともに、ボトルキャップカバー部２７の螺合箇所である雌螺子部２９がボトルキャップカバー部２７の内縁に設けられていることにより、玩具自体をボトルキャップとは独立させて収集することができるから、ボトルキャップ上に固定された玩具と比して、収集意欲の増進を促し、もって購買意欲の増進をもたらすことができる。
【００６５】
また、ボトルキャップ本体部２３とボトルキャップカバー部２７を螺合させることにより、防塵効果をあげるとともに、溝を用いて嵌合させるものよりも、より強い保持力を有するから、持ち運びの際等に、キャップカバー部が取れてしまい飲料物が漏れることを防止することができる。
【００６６】
また、ボトル本体部２１およびボトルキャップ本体部２３の螺合と、ボトルキャップ本体部２３およびボトルキャップカバー部２７との螺合の回転方向を逆方向とするとともに、ボトルキャップカバー部２７を形状の大きい玩具として構成したことで、老人や子供であっても、ボトルキャップカバー部２７を回転させるのみで、少ない外力によりボトルキャップ本体部２３およびボトルキャップカバー部２７の双方を開栓することができる。
【００６７】
また、ボトルキャップカバー部２７内の収容部２８を、流動経路部２５および流動経路部２５の上端に設けられたキャップヘッド部２６による高さと同じにすることで、ボトルキャップカバー部２７閉栓時に、収容部２８内の上面がキャップヘッド部２６の上面を押下してキャップヘッド部２６を閉止位置に摺動させることができ、飲用者がキャップヘッド部２６を閉止位置に戻すのを忘れたときであっても、ボトルキャップカバー部２７をボトルキャップ本体部２３に螺合することで、キャップヘッド部２６を閉止位置に摺動させ、飲用物の漏れを未然に防止することができる。
【００６８】
また、流動経路部２５の下端近傍に雄螺子部２４を設けることにより、上記効果を有するボトルキャップをより容易に、また、より安価に提供することができる。
【００６９】
なお、上記した第３の実施の形態においても、螺合箇所における雄螺子および雌螺子の構成はそれぞれ逆の関係でも良く、また、ボトルキャップ本体部２３およびボトルキャップカバー部２７の螺合方向は、それぞれ逆方向であれば、本実施の形態における回転方向に限られるものではない。
【００７０】
図１２、図１３は本発明に係るボトルキャップおよびボトルキャップを備えたボトルの第４の実施の形態を示す図である。
【００７１】
図１２において、本実施の形態のボトルキャップ７０は、ボトル本体部３１と図中矢印Ａ方向への回転によって螺合するボトルキャップ本体部３３と、ボトル本体部３１とボトルキャップ本体部３３との螺合箇所、すなわち、後述する雄螺子部３４および雌螺子３９が設けられた箇所を被覆するオーバーキャップ部４５と、ボトルキャップ本体部３３を覆うボトルキャップカバー部３７とから構成されている。
【００７２】
ボトルキャップ本体部３３は、ボトルキャップ本体部３３から鉛直方向上方に延在してボトル本体部３１内の飲料の流動経路を構成するとともに上端が開口された流動経路部３５と、流動経路部３５の開口位置に摺動可能に設けられ上方に引き上げることで飲料を流動させ、下方に押し下げることで飲料の流動を閉止するキャップヘッド部３６と、流動経路部３５の下端近傍に図中矢印Ａ方向とは逆方向である図中矢印Ｂ方向への回転によって螺合するように構成された雄螺子部（着脱手段）３４とを有している。
【００７３】
なお、本実施の形態においては、ボトルキャプ本体部３３の下方に流動経路部３５と同軸上に延在し、飲用者の吸飲を補助するストロー３３ａが設けられるとともに、ボトルキャップ本体部３３の周縁内周にはボトル本体部３１に形成された雄螺子３２と螺合する雌螺子４０が形成されている。
【００７４】
ボトルキャップカバー部３７は、外形が玩具形状から構成されるとともに、内部に流動経路部３５およびキャップヘッド部３６を収容する収容部３８と、収容部３８の下端近傍の内縁で雄螺子部３４と螺合する雌螺子部（着脱手段）３９とを有している。
【００７５】
なお、オーバーキャップ部４５は、内部にボトル本体部３１およびボトルキャップ本体部３３の螺合箇所を被覆することができるよう収容空間が形成されるとともに、上端が平面に形成され、該平面にはボトルキャップ本体部３３の流動経路部３５およびキャップヘッド部３６を挿通させるための円状の孔４５ａが設けられている。該孔４５ａの直径ｄ１はボトルキャップ本体部３３の最大直径ｄ２よりも小さく形成することで、上端平面の内周がボトルキャップ本体部３３の円周に引掛り下方への落下を係止するようになっている。
【００７６】
また、オーバーキャップ部４５は、下端近傍の内周に沿って凸部４５ｂが形成されており、ボトル本体部３１の周縁に沿って設けられた凹部３１ａと嵌合するようになっている。
【００７７】
次に、図１３の断面図を用いて本実施の形態におけるボトルキャップ７０の螺合時における構成を説明する。
【００７８】
図１３において、ボトルキャップ本体部３３の雌螺子４０およびボトルキャップカバー部３７の雌螺子部３９は、それぞれボトル本体部３１の雄螺子３２およびボトルキャップ本体部３３に形成された雄螺子部３４と互いに逆方向の回転によって螺合されている。
【００７９】
なお、本実施の形態においては、さらに、ボトル本体部３１とボトルキャップ本体部３３の螺合箇所を被覆するように、オーバーキャップ部４５が設けられており、該オーバーキャップ部４５は、上端に設けられた孔４５ａの周縁内面がボトルキャップ本体部３３の円周で係止されるとともに、下端の内周に沿って設けられた凸部４５ｂがボトル本体部３１の周縁に沿って設けられた凹部３１ａと嵌合されるようになっている。
【００８０】
閉栓時の順序としてはまずボトル本体部３１とボトルキャップ本体部３３を螺合させた後、オーバーキャップ部４５を嵌着させ、最後にボトルキャップカバー部３７をボトルキャップ本体部３３に螺合させることとなる。
【００８１】
ここで、ボトルキャップカバー部３７の内部には、ボトルキャップ本体部３３に形成された流動経路部３５およびキャップヘッド部３６を包含するよう収容部３８が形成されているが、この流動経路部３５およびキャップヘッド部３６による高さと収容部３８の高さを同じ高さに形成している。
【００８２】
このように、流動経路部３５およびキャップヘッド部３６による高さと収容部３８の高さを同じ高さに形成することで、本来、飲用時以外はキャップヘッド部３６を下方に押し下げ、飲料の流動を閉止するのが望ましいが、それを飲用者が忘れてしまった場合、若しくはキャップヘッド部３６の押し下げが足りない場合であっても、ボトルキャップカバー部３７の雌螺子部３９をボトルキャップ本体部３３の雄螺子部３４に螺合させるだけで、飲料の流動閉止位置までキャップヘッド部３６を押し下げることができ、飲料漏れをさらに防止することができる。
【００８３】
なお、本実施の形態における、ボトルキャップカバー部３７およびボトルキャップ本体部３３の開栓時に関しては、オーバーキャップ部４５の凸部４５ａとボトル本体部３１の凹部３１ａとは嵌着されているのみで摺動可能であるから、第２の実施の形態と同様、ボトルキャップカバー部３７を回転させるのみで、ボトルキャップカバー部３７およびボトルキャップ本体部３３の双方を開栓することができるものであるから、説明を省略することとする。
【００８４】
また、ボトルキャップカバー部３７、オーバーキャップ部４５およびボトルキャップ本体部３３を個別に取りたい場合には、上述した閉栓時とは逆の順序で外していけば良い。
【００８５】
以上、本実施の形態によれば、ボトルキャップ本体部３３上にボトルキャップカバー部３７として設けられる玩具が螺合されているとともに、ボトルキャップカバー部３７の螺合箇所である雌螺子部３９がボトルキャップカバー部３７の内縁に設けられていることにより、玩具自体をボトルキャップとは独立させて収集することができるから、ボトルキャップ上に固定された玩具と比して、収集意欲の増進を促し、もって購買意欲の増進をもたらすことができる。
【００８６】
また、ボトルキャップ本体部３３とボトルキャップカバー部３７を螺合させることにより、防塵効果をあげるとともに、溝を用いて嵌合させるものよりも、より強い保持力を有するから、持ち運びの際等に、キャップカバー部が取れてしまい飲料物が漏れることを防止することができる。
【００８７】
また、ボトル本体部３１およびボトルキャップ本体部３３の螺合と、ボトルキャップ本体部３３およびボトルキャップカバー部３７との螺合の回転方向を逆方向とするとともに、ボトルキャップカバー部３７を形状の大きい玩具として構成したことで、老人や子供であっても、ボトルキャップカバー部３７を回転させるのみで、少ない外力によりボトルキャップ本体部３３およびボトルキャップカバー部３７の双方を開栓することができる。
【００８８】
また、ボトルキャップカバー部３７内の収容部３８を、流動経路部３５および流動経路部３５の上端に設けられたキャップヘッド部３６による高さと同じにすることで、ボトルキャップカバー部３７閉栓時に、収容部３８内の上面がキャップヘッド部３６の上面を押下してキャップヘッド部３６を閉止位置に摺動させることができ、飲用者がキャップヘッド部３６を閉止位置に戻すのを忘れたときであっても、ボトルキャップカバー部３７をボトルキャップ本体部３３に螺合することで、キャップヘッド部３６を閉止位置に摺動させ、飲用物の漏れを未然に防止することができる。
【００８９】
また、流動経路部３５の下端近傍に雄螺子部３４を設けることにより、上記効果を有するボトルキャップをより容易に、また、より安価に提供することができる。
【００９０】
また、ボトル本体部３１およびボトルキャップ本体部３３の螺合箇所を被覆するオーバーキャップ部４５を設けることにより、搬送時における飲用物の漏れをさらに防止することができるとともに、商品の店舗先等への陳列時における、防塵および購買者からの接触による防菌を図ることができる。
【００９１】
なお、本実施の形態においても、螺合箇所における雄螺子および雌螺子の構成はそれぞれ逆の関係でも良く、また、ボトルキャップ本体部３３およびボトルキャップカバー部３７の螺合方向は、それぞれ逆方向であれば、本実施の形態における回転方向に限られるものではない。
【００９２】
また、オーバーキャップ部４５の着脱方法に関しても本実施の形態に限られるものではなく、ボトル本体部３１およびボトルキャップ本体部３３の螺合箇所への防塵等が図れるものであれば良い。
【００９３】
また、本実施の形態は、第３の実施の形態に対してオーバーキャップ部４５等新たな構成を加えたものであるが、第２の実施の形態に対しても適用できるものであることはいうまでもない。
【産業上の利用可能性】
【００９４】
以上のように、本発明に係るボトルキャップおよびボトルは、消費者に対し購買意欲の増進を図ることができるという効果を有し、飲料物を中に含むペットボトル等携帯用容器に適用されるボトルキャップおよびボトル等として有用である。
【図面の簡単な説明】
【００９５】
【図１】本発明の第１の実施の形態におけるボトルキャップの構成を示す図
【図２】第１の実施の形態におけるボトルキャップの螺合時の断面図
【図３】第１の実施の形態におけるボトルキャップ本体部の開栓時を示す図
【図４】第１の実施の形態におけるボトルキャップカバー部の取外した状態を示す図
【図５】（ａ）は第１の実施の形態におけるボトルキャップの他の構成を示す図、（ｂ）はボトルキャップカバー部の他の構成を示す図
【図６】本発明の第２の実施の形態におけるボトルキャップの構成を示す図
【図７】第２の実施の形態におけるボトルキャップの螺合時の断面図
【図８】第２の実施の形態におけるボトルキャップカバー部を取外した状態を示す図
【図９】第２の実施の形態におけるボトルキャップ本体部の開栓時を示す図
【図１０】本発明の第３の実施の形態におけるボトルキャップの構成を示す図
【図１１】第３の実施の形態におけるボトルキャップの螺合時の断面図
【図１２】本発明の第４の実施の形態におけるボトルキャップの構成を示す図
【図１３】第４の実施の形態におけるボトルキャップの螺合時の断面図
【符号の説明】
【００９６】
１  ボトルキャップ
２  ボトル本体部
３  ボトルキャップ本体部
４  ボトルキャップカバー部
５  収容部
５ａ  雌螺子部（着脱手段）
６ｂ  雄螺子部（着脱手段）
１１  ボトル本体部
１３  ボトルキャップ本体部
１４  雄螺子部（着脱手段）
１５  流動経路部
１６  キャップヘッド部
１７  ボトルキャップカバー部
１８  収容部
１９  雌螺子部（着脱手段）
２１  ボトル本体部
２３  ボトルキャップ本体部
２４  雄螺子部（着脱手段）
２５  流動経路部
２６  キャップヘッド部
２７  ボトルキャップカバー部
２８  収容部
２９  雌螺子部（着脱手段）
３１  ボトル本体部
３３  ボトルキャップ本体部
３４  雄螺子部（着脱手段）
３５  流動経路部
３６  キャップヘッド部
３７  ボトルキャップカバー部
３８  収容部
３９  雌螺子部（着脱手段）
４５  オーバーキャップ部
５０  ボトルキャップ
６０  ボトルキャップ
７０  ボトルキャップ
【図１】
2005138901.tif 000003
【図２】
2005138901.tif 000004
【図３】
2005138901.tif 000005
【図４】
2005138901.tif 000006
【図５】
2005138901.tif 000007
【図６】
2005138901.tif 000008
【図７】
2005138901.tif 000009
【図８】
2005138901.tif 000010
【図９】
2005138901.tif 000011
【図１０】
2005138901.tif 000012
【図１１】
2005138901.tif 000013
【図１２】
2005138901.tif 000014
【図１３】
2005138901.tif 000015